(57)【特許請求の範囲】
【請求項１】
文字画像を含む画像を用いる電子書籍コンテンツを表示する情報表示装置であって、
前記電子書籍コンテンツを記憶するコンテンツ記憶手段と、
前記コンテンツ記憶手段に記憶されている前記電子書籍コンテンツを画面表示するコンテンツ表示手段と、
画面表示されている前記電子書籍コンテンツのうち、任意の領域の指定を受け付ける指定受付手段と、
指定された前記領域について文字認識を行うことで文字列を取得し、取得した文字列を前記電子書籍コンテンツの前記領域に対応するコメント入力欄に、編集可能な文字列として挿入し、ユーザによるコメント入力を受け付けるコメント挿入手段と、を有し、
前記コンテンツ表示手段は、コメントがあることを示す表示とともに、前記領域が指定された回数に応じて、前記領域を強調表示する
ことを特徴とする情報表示装置。
【請求項２】
前記コンテンツ表示手段は、前記強調表示として、前記領域を多段階の色調で強調表示することを特徴とする請求項１に記載の情報表示装置。
【請求項３】
前記コメント挿入手段は、
前記指定された領域を表す領域データを所定のサーバに送信したうえ、その領域データに基づく文字認識による文字列を前記サーバから受信し、受信した文字列を前記電子書籍コンテンツの前記領域に対応するコメント入力欄に、編集可能な文字列として挿入し、ユーザによるコメント入力を受け付けることを特徴とする請求項１又は２に記載の情報表示装置。
【請求項４】
前記コメント入力欄に入力されたコメントと、前記画面表示されている電子書籍コンテンツとを対応付けて所定のサーバに送信するコメント送信手段と、
を更に備えることを特徴とする請求項１〜３のいずれか１項に記載の情報表示装置。
【請求項５】
コンピュータを用いた情報表示装置が、文字画像を含む画像を用いる電子書籍コンテンツを画面表示する情報表示方法であって、
コンピュータが、前記電子書籍コンテンツを所定のコンテンツ記憶手段に記憶させる処理と、
コンピュータが、前記コンテンツ記憶手段に記憶されている前記電子書籍コンテンツを画面表示するコンテンツ表示処理と、
コンピュータが、画面表示されている前記電子書籍コンテンツのうち、任意の領域の指定を受け付ける指定受付処理と、
コンピュータが、指定された前記領域について文字認識を行うことで文字列を取得し、取得した文字列を前記電子書籍コンテンツの前記領域に対応するコメント入力欄に、編集可能な文字列として挿入し、ユーザによるコメント入力を受け付けるコメント挿入処理と、を含み、
前記コンテンツ表示処理は、コメントがあることを示す表示とともに、前記領域が指定された回数に応じて、前記領域を強調表示する
ことを特徴とする情報表示方法。
【発明の詳細な説明】
【技術分野】
【０００１】
本発明は、電子書籍コンテンツの表示に関する。
【背景技術】
【０００２】
近年、データとして提供されるコミックや雑誌等の電子書籍コンテンツを、スマートフォンやタブレットＰＣなどの携帯電子端末機器で画面表示する電子書籍ビューアが普及している。電子書籍ビューアには、スマートフォンなどのアプリケーション・プログラムとして実現する例のほか、専用のハードウェアとして実現される装置も含まれる。
【０００３】
一方、ウェブ上において、映画や音楽等のコンテンツに対しユーザが登録した評価の集計結果やコメントなどをユーザ間で閲覧し共有できるＳＮＳ（ソーシャル・ネットワーキング・サービス）などのサービスも普及している。
【０００４】
ところで、電子書籍コンテンツには、既存の作品資源活用のためコミック（漫画）や雑誌などの書物を光学スキャンするなどした画像を用いるものが多い。このような画像を用いた電子書籍コンテンツについては、セリフやタイトル等、様々な文字列が画像化されて含まれているので、そのような画像として含まれる文字列を引用したコメントを入力する場合には、キーボードやテンキー等によりテキスト入力を行うこととなる。なお、所定の領域にタッチ入力等で入力された文字を認識することにより、文字の入力をある程度容易にする技術は存在する（例えば、特許文献１参照）。
【先行技術文献】
【特許文献】
【０００５】
【特許文献１】特開２００６−３５０６４９号公報
【発明の概要】
【発明が解決しようとする課題】
【０００６】
しかし、そもそも画像中に含まれている文字列をわざわざ改めてユーザが入力することは煩わしく、電子書籍ビューアというユーザがコメントを入力しやすい媒体であっても、コメントの入力に歯止めをかけるという課題が考えられる。
【０００７】
上記の課題に対し、本発明の目的は、電子書籍コンテンツに含まれる文字列を引用したコメントの入力を容易にすることである。
【課題を解決するための手段】
【０００８】
上記の目的をふまえた本発明は、下記の各態様のうち、第１群に記載する各態様を含む。なお、第２群及び第３群の各態様は、第１群に記載する本発明の任意の態様との組み合わせに適する追加の構成であり、そのような組み合わせに基づく相乗効果により、電子書籍コンテンツの使い勝手をさらに改善することができるものである。
【０００９】
〔第１群〕
本発明の一態様（１）は、文字画像を含む画像を用いる電子書籍コンテンツを表示する情報表示装置であって、前記電子書籍コンテンツを記憶するコンテンツ記憶手段と、前記コンテンツ記憶手段に記憶されている前記電子書籍コンテンツを画面表示するコンテンツ表示手段と、画面表示されている前記電子書籍コンテンツのうち、任意の領域の指定を受け付ける指定受付手段と、指定された前記領域について文字認識を行うことで文字列を取得し、取得した文字列を前記電子書籍コンテンツに対するコメント入力欄に挿入するコメント挿入手段と、を有することを特徴とする。
【００１０】
本発明の他の態様（５）は、上記態様を方法のカテゴリで捉えたもので、コンピュータを用いた情報表示装置が、文字画像を含む画像を用いる電子書籍コンテンツを画面表示する情報表示方法であって、コンピュータが、前記電子書籍コンテンツを所定のコンテンツ記憶手段に記憶させる処理と、コンピュータが、前記コンテンツ記憶手段に記憶されている前記電子書籍コンテンツを画面表示するコンテンツ表示処理と、コンピュータが、画面表示されている前記電子書籍コンテンツのうち、任意の領域の指定を受け付ける指定受付処理と、コンピュータが、指定された前記領域について文字認識を行うことで文字列を取得し、取得した文字列を前記電子書籍コンテンツに対するコメント入力欄に挿入するコメント挿入処理と、を含むことを特徴とする。
【００１１】
本発明の他の態様（６）は、上記態様をコンピュータ・プログラムのカテゴリで捉えたもので、コンピュータを用いた情報表示装置に、文字画像を含む画像を用いる電子書籍コンテンツを画面表示させる情報表示プログラムであって、コンピュータに、前記電子書籍コンテンツを所定のコンテンツ記憶手段に記憶させ、コンピュータに、前記コンテンツ記憶手段に記憶されている前記電子書籍コンテンツを画面表示させ、コンピュータに、画面表示されている前記電子書籍コンテンツのうち、任意の領域の指定を受け付けさせ、コンピュータに、指定された前記領域について文字認識を行うことで文字列を取得させ、取得した文字列を前記電子書籍コンテンツに対するコメント入力欄に挿入させることを特徴とする。
【００１２】
このように、書物のスキャンなどによる文字画像を含む電子書籍コンテンツについて、漫画のセリフ部分などユーザの興味ある箇所について領域の指定を受け付け、その領域について文字認識した文字列をコメント入力欄に挿入することにより、ユーザは、画面上の文字を改めて一文字ずつ入力することなくその箇所を囲むなど指定するだけで、電子書籍コンテンツに含まれる文字列を引用したコメントの入力を容易に行うことができる。
【００１３】
本発明の他の態様（２）は、上記いずれかの態様において、前記コメント挿入手段は、前記指定された領域を表す領域データを所定のサーバに送信したうえ、その領域データに基づく文字認識による文字列を前記サーバから受信し、受信した文字列を前記電子書籍コンテンツに対するコメント入力欄に挿入することを特徴とする。
【００１４】
このように、指定された領域を表す部分画像や座標値などの領域データをサーバに送信し、それに基づく文字認識による文字列を受信して利用することにより、情報表示装置の処理負荷軽減や、専用のサーバの能力やアルゴリズムを活用した認識精度の改善を図ることが可能となる。
【００１５】
本発明の他の態様（３）は、上記いずれかの態様において、前記コメント入力欄に入力されたコメントと、前記画面表示されている電子書籍コンテンツとを対応付けて所定のサーバに送信するコメント送信手段と、を更に備えることを特徴とする。
【００１６】
本発明の他の態様（４）は、上記態様をサーバ装置として捉えたもので、サーバ装置であって、情報表示装置において入力されたコメントと、そのコメントに係る電子書籍コンテンツと、を対応付けたデータをその情報表示装置から受信して所定の記憶手段に記憶させる手段を有することを特徴とする。
【００１７】
このように、入力されたコメントを電子書籍コンテンツと対応付けてサーバへ送信することにより、サーバでコメントをとりまとめ、コンテンツに付加して配信するなど活用可能となる。
【００１８】
〔第２群〕
第２群の一態様（１）は、電子書籍コンテンツを表示する情報表示装置であって、ページ内でフレームに分割された電子書籍コンテンツのデータを記憶するコンテンツ記憶手段と、前記電子書籍コンテンツの前記フレームに対応付けられたコメントを記憶するコメント記憶手段と、前記コンテンツ記憶手段に記憶されている前記電子書籍コンテンツを画面表示するコンテンツ表示手段と、表示されている前記電子書籍コンテンツの前記フレームに対する所定の操作が与えられた場合に、そのフレームを捲る表示とともに、捲ったフレームの裏面又は捲ったフレームのあった下地面に、そのフレームに対応付けられた前記コメントを表示するコメント表示手段と、を有することを特徴とする。
【００１９】
第２群の他の態様（６）は、上記態様を方法のカテゴリで捉えたもので、コンピュータを用いた情報表示装置が電子書籍コンテンツを画面表示する情報表示方法であって、コンピュータが、ページ内でフレームに分割された電子書籍コンテンツのデータを所定のコンテンツ記憶手段に記憶させる処理と、コンピュータが、前記電子書籍コンテンツの前記フレームに対応付けられたコメントを所定のコメント記憶手段に記憶させる処理と、コンピュータが、前記コンテンツ記憶手段に記憶されている前記電子書籍コンテンツを画面表示するコンテンツ表示処理と、コンピュータが、表示されている前記電子書籍コンテンツの前記フレームに対する所定の操作が与えられた場合に、そのフレームを捲る表示とともに、捲ったフレームの裏面又は捲ったフレームのあった下地面に、そのフレームに対応付けられた前記コメントを表示するコメント表示処理と、を含むことを特徴とする。
【００２０】
第２群の他の態様（７）は、上記態様をコンピュータ・プログラムを配信する配信サーバのカテゴリで捉えたもので、電子書籍コンテンツを画面表示させる情報表示プログラムを、コンピュータを用いた情報表示装置へ配信する配信サーバ装置であって、ページ内でフレームに分割された電子書籍コンテンツのデータを情報表示装置へ送信する手段と、前記電子書籍コンテンツの前記フレームに対応付けられたコメントを情報表示装置へ送信する手段と、前記情報表示装置に、前記情報表示プログラムの配信によって、前記電子書籍コンテンツを画面表示している際に、表示されている前記電子書籍コンテンツの前記フレームに対する所定の操作が与えられた場合、そのフレームを捲る表示とともに、捲ったフレームの裏面又は捲ったフレームのあった下地面に、そのフレームに対応付けられた前記コメントを表示させることを特徴とする。
【００２１】
第２群の他の態様（４）は、上記態様をコンピュータ・プログラムを配信する配信サーバのカテゴリで捉えたもので、電子書籍コンテンツを画面表示させる情報表示プログラムを、コンピュータを用いた情報表示装置へ配信する配信サーバ装置であって、前記情報表示プログラムは、コンピュータに、ページ内でフレームに分割された電子書籍コンテンツのデータを所定のコンテンツ記憶手段に記憶させ、コンピュータに、前記電子書籍コンテンツの前記フレームに対応付けられたコメントを所定のコメント記憶手段に記憶させ、コンピュータに、前記コンテンツ記憶手段に記憶されている前記電子書籍コンテンツを画面表示させ、コンピュータに、表示されている前記電子書籍コンテンツの前記フレームに対する所定の操作が与えられた場合に、そのフレームを捲る表示とともに、捲ったフレームの裏面又は捲ったフレームのあった下地面に、そのフレームに対応付けられた前記コメントを表示させることを特徴とする。
【００２２】
第２群の他の態様（５）である情報処理システムは、上記態様をクライアント・サーバ・システムとして捉えたもので、上記いずれかの態様における情報表示装置と、上記いずれかの態様における配信サーバ装置と、を有することを特徴とする。
【００２３】
以上のように、漫画のコマや吹き出しなどを単位に電子書籍コンテンツが分割されたフレームに対応するコメントを、フレームを捲る表示とともに捲ったフレームの裏面や下地面に表示させることにより、コメントが煩雑に重なり合ったり各フレームのコンテンツを覆い隠すことがない。このため、電子書籍コンテンツの表示において、コメントが増えた場合でも、コメントの分量の把握を含め、優れた視認性を維持することができる。
【００２４】
第２群の他の態様（２）は、上記いずれかの態様において、前記コンテンツ表示手段は、前記各フレームを、フレームに対応するコメントの量に応じた厚みで立体的に表示することを特徴とする。
【００２５】
このように、対応するコメントの量に応じた厚みで各フレームを表示することにより、フレームごとのコメントの量が一見して視覚的に把握容易となり、コメント閲覧の使い勝手が改善できる。
【００２６】
第２群の他の態様（３）は、上記いずれかの態様において、前記コメントの全部又は一部について所定の課金が条件となっている旨を表示する課金表示手段と、前記課金に対する同意の操作を受け付ける同意受付手段と、前記同意の操作が受け付けられた場合に、前記コメント表示手段に前記コメントを表示させるとともに、所定の課金処理を行う課金処理手段と、を有することを特徴とする。
【００２７】
このように、コメントの閲覧を課金制とすることにより、雑誌の袋とじのように、内容を閲覧する需要を費用回収に確実に関連付ける効果が得られ、真に価値あるコメントの情報流通が促進できる。
【００２８】
〔第３群〕
第３群の一態様（１）は、ページ内でフレームに分割された電子書籍コンテンツを記憶するコンテンツ記憶手段をそれぞれ有する情報表示装置とサーバ装置とを通信ネットワーク経由で接続した情報処理システムにおいて、前記情報表示装置はさらに、前記コンテンツ記憶手段に記憶されている前記電子書籍コンテンツを画面表示するコンテンツ表示手段と、表示されている前記電子書籍コンテンツのページのうち任意の領域の指定を、その領域に対する評価の入力として受け付ける評価領域受付手段と、指定された前記ページ及び領域を表すデータを通信ネットワーク経由で前記サーバ装置へ送信する評価領域送信手段と、を有し、前記情報表示装置又は前記サーバ装置の少なくとも一方が、情報表示装置において指定されたページ及び領域の座標と、対応する電子書籍コンテンツに含まれる前記ページのフレームの座標とを比較することにより、前記評価の入力に対応するフレームを特定するフレーム特定手段と、を有し、前記サーバ装置は、さらに、前記情報表示装置から通信ネットワークを経由で、電子書籍コンテンツのうち前記情報表示装置において指定されたページ及び領域を表すデータを受信する評価領域受信手段と、前記情報表示装置又はサーバ装置で特定された前記フレームに係る評価を集計するフレーム評価集計手段と、前記指定された領域を前記電子書籍コンテンツのページ毎に集計する領域集計手段と、前記フレームに係る評価の集計結果及び前記指定された領域の集計結果を記憶する集計結果記憶手段と、前記集計結果記憶手段に記憶されている前記フレームに係る評価の集計結果及び前記指定された領域の集計結果の少なくとも一方を該当するページに表示させるための表示データを前記情報表示装置へ送信するデータ送信手段と、を有し、前記情報表示装置は、さらに、前記電子書籍コンテンツのページのうち、前記サーバ装置から受信した表示データに対応したフレーム及び領域の少なくとも一方を強調表示する強調表示手段を有することを特徴とする。
【００２９】
第３群の他の態様（７）は、上記態様を方法のカテゴリで捉えたもので、ページ内でフレームに分割された電子書籍コンテンツを記憶するコンテンツ記憶手段をそれぞれ有する情報表示装置とサーバ装置とを通信ネットワーク経由で接続して情報を処理する情報処理方法であって、前記情報表示装置において、前記コンテンツ記憶手段に記憶されている前記電子書籍コンテンツを画面表示するコンテンツ表示処理と、表示されている前記電子書籍コンテンツのページのうち任意の領域の指定を、その領域に対する評価の入力として受け付ける評価領域受付処理と、指定された前記ページ及び領域を表すデータを通信ネットワーク経由で前記サーバ装置へ送信する評価領域送信処理と、を実行し、前記情報表示装置又は前記サーバ装置の少なくとも一方が、情報表示装置において指定されたページ及び領域の座標と、対応する電子書籍コンテンツに含まれる前記ページのフレームの座標とを比較することにより、評価に対応するフレームを特定するフレーム特定処理を実行し、前記サーバ装置において、前記情報表示装置から通信ネットワークを経由で、電子書籍コンテンツのうち前記情報表示装置において指定されたページ及び領域を表すデータを受信する評価領域受信処理と、前記情報表示装置又はサーバ装置で特定された前記フレームに係る評価を集計するフレーム評価集計処理と、前記指定された領域を前記電子書籍コンテンツのページ毎に集計する領域集計処理と、前記フレームに係る評価の集計結果及び前記指定された領域の集計結果を所定の集計結果記憶手段に記憶させる処理と、前記集計結果記憶手段に記憶されている前記フレームに係る評価の集計結果及び前記指定された領域の集計結果の少なくとも一方を該当するページに表示させるための表示データを前記情報表示装置へ送信するデータ送信処理と、を実行し、前記情報表示装置が、前記電子書籍コンテンツのページのうち、前記サーバ装置から受信した表示データに対応したフレーム及び領域の少なくとも一方を強調表示する強調表示処理を実行することを特徴とする。
【００３０】
第３群の他の態様（２）は、上記態様のうち情報表示装置の部分に関するもので、電子書籍コンテンツを表示する情報表示装置であって、ページ内でフレームに分割された電子書籍コンテンツを記憶するコンテンツ記憶手段と、前記コンテンツ記憶手段に記憶されている前記電子書籍コンテンツを画面表示するコンテンツ表示手段と、表示されている前記電子書籍コンテンツのページのうち任意の領域の指定を、その領域に対する評価の入力として受け付ける領域評価受付手段と、指定された前記ページ及び領域を表す評価データを通信ネットワーク経由で所定のサーバ装置へ送信する評価領域送信手段と、前記電子書籍コンテンツのページのうち、前記評価データに基づく集計結果に基づいて前記サーバ装置から受信した所定のデータに対応したフレーム及び領域の少なくとも一方を強調表示する強調表示手段と、を有することを特徴とする。
【００３１】
第３群の他の態様（８）は、上記態様を方法のカテゴリで捉えたもので、コンピュータを用いる情報表示装置が、電子書籍コンテンツを表示する情報表示方法であって、コンピュータが、ページ内でフレームに分割された電子書籍コンテンツを所定のコンテンツ記憶手段に記憶させる処理と、コンピュータが、前記コンテンツ記憶手段に記憶されている前記電子書籍コンテンツを画面表示するコンテンツ表示処理と、コンピュータが、表示されている前記電子書籍コンテンツのページのうち任意の領域の指定を、その領域に対する評価の入力として受け付ける領域評価受付処理と、コンピュータが、指定された前記ページ及び領域を表す評価データを通信ネットワーク経由で所定のサーバ装置へ送信する評価領域送信処理と、コンピュータが、前記電子書籍コンテンツのページのうち、前記評価データに基づく集計結果に基づいて前記サーバ装置から受信した所定のデータに対応したフレーム及び領域の少なくとも一方を強調表示する強調表示処理と、を含むことを特徴とする。
【００３２】
第３群の他の態様（１０）は、上記態様をコンピュータ・プログラムのカテゴリで捉えたもので、コンピュータを用いる情報表示装置に、電子書籍コンテンツを表示させる情報表示プログラムであって、コンピュータに、ページ内でフレームに分割された電子書籍コンテンツを所定のコンテンツ記憶手段に記憶させ、コンピュータに、前記コンテンツ記憶手段に記憶されている前記電子書籍コンテンツを画面表示させ、コンピュータに、表示されている前記電子書籍コンテンツのページのうち任意の領域の指定を、その領域に対する評価の入力として受け付けさせ、コンピュータに、指定された前記ページ及び領域を表す評価データを通信ネットワーク経由で所定のサーバ装置へ送信させ、コンピュータに、前記電子書籍コンテンツのページのうち、前記評価データに基づく集計結果に基づいて前記サーバ装置から受信した所定のデータに対応したフレーム及び領域の少なくとも一方を強調表示させることを特徴とする。
【００３３】
第３群の他の態様（１１）は、上記態様を、コンピュータ・プログラムを配信するサーバ装置のカテゴリで捉えたもので、コンピュータを用いる情報表示装置に、電子書籍コンテンツを表示させる情報表示プログラムを配信するサーバ装置であって、前記情報表示プログラムは、コンピュータに、ページ内でフレームに分割された電子書籍コンテンツを所定のコンテンツ記憶手段に記憶させ、コンピュータに、前記コンテンツ記憶手段に記憶されている前記電子書籍コンテンツを画面表示させ、コンピュータに、表示されている前記電子書籍コンテンツのページのうち任意の領域の指定を、その領域に対する評価の入力として受け付けさせ、コンピュータに、指定された前記ページ及び領域を表す評価データを通信ネットワーク経由で所定のサーバ装置へ送信させ、コンピュータに、前記電子書籍コンテンツのページのうち、前記評価データに基づく集計結果に基づいて前記サーバ装置から受信した所定のデータに対応したフレーム及び領域の少なくとも一方を強調表示させることを特徴とする。
【００３４】
第３群の他の態様（５）であるサーバ装置は、電子書籍ビューアに提供するための電子書籍コンテンツであって、フレームに分割された電子書籍コンテンツを記憶しているコンテンツ記憶手段と、クライアント装置から通信ネットワーク経由で、電子書籍コンテンツのうち前記クライアント装置において指定されたページ及び領域を表す評価データを受信する評価領域受信手段と、受信された前記評価データにおける前記指定されたページ及び領域の座標と、対応する電子書籍コンテンツに含まれる前記ページのフレームの座標とを比較することにより、評価に対応するフレームを特定するフレーム特定手段と、特定された前記フレームに係る評価を集計するフレーム評価集計手段と、前記指定された領域を前記電子書籍コンテンツのページ毎に集計する領域集計手段と、前記フレームに係る評価の集計結果及び前記指定された領域の集計結果を記憶する集計結果記憶手段と、前記集計結果記憶手段に記憶されている前記フレームに係る評価の集計結果及び前記指定された領域の集計結果の少なくとも一方を該当するページに表示させるためのデータを通信ネットワーク経由でクライアント装置へ送信するデータ送信手段と、を有することを特徴とする。
【００３５】
第３群の他の態様（９）は、上記態様を方法のカテゴリで捉えたもので、電子書籍ビューアに提供するための電子書籍コンテンツであって、フレームに分割された電子書籍コンテンツを記憶しているコンテンツ記憶手段と、コンピュータと、を有するサーバ装置における情報処理方法において、コンピュータが、クライアント装置から通信ネットワーク経由で、電子書籍コンテンツのうち前記クライアント装置において指定されたページ及び領域を表す評価データを受信する評価領域受信処理と、コンピュータが、受信された前記評価データにおける前記指定されたページ及び領域の座標と、対応する電子書籍コンテンツに含まれる前記ページのフレームの座標とを比較することにより、評価に対応するフレームを特定するフレーム特定処理と、コンピュータが、特定された前記フレームに係る評価を集計するフレーム評価集計処理と、コンピュータが、前記指定された領域を前記電子書籍コンテンツのページ毎に集計する領域集計処理と、コンピュータが、前記フレームに係る評価の集計結果及び前記指定された領域の集計結果を所定の集計結果記憶手段に記憶させる処理と、コンピュータが、前記集計結果記憶手段に記憶されている前記フレームに係る評価の集計結果及び前記指定された領域の集計結果の少なくとも一方を該当するページに表示させるためのデータを通信ネットワーク経由でクライアント装置へ送信するデータ送信処理と、を含むことを特徴とする。
【００３６】
第３群の他の態様（６）である情報処理システムは、上記いずれかの態様における情報表示装置と、上記いずれかの態様におけるサーバ装置と、を有することを特徴とする。
【００３７】
以上のように、フレームに分割されている電子書籍コンテンツに対して、情報表示装置などのクライアント装置において評価の入力として任意の領域の指定を受け付け、サーバ側では、指定された領域の重複などの集計に加え、各領域に対応するフレーム単位でも評価を集計し、クライアント装置の電子書籍コンテンツ表示画面に、集計結果を基に人気度の高いフレームや領域を所定の色や表示パターンなどで強調表示する。これにより、電子書籍コンテンツに対するユーザの評価を、優れた使い勝手で、フレーム単位と共に、任意の対象範囲で受け付けて、集計し表示画面に反映することが可能となる。
【００３８】
第３群の他の態様（３）は、上記いずれかの態様において、前記強調表示手段は、所定以上の集計結果に係るフレーム及び領域の少なくとも一方を所定の形状、模様、色彩、視覚的動き又はこれらの結合によって、強調表示することを特徴とする。
【００３９】
このように、集計結果を基に人気度の高いフレームや領域について、クライアント装置において該当ページの画面表示において、いわゆるヒートマップのように所定の色やパターンなどで強調表示することにより、多くのユーザが評価する部分に読者の注意を惹き、ユーザ間における感動の共有を促進することにより、読者の満足や電子書籍コンテンツの販売促進効果を充実させることが容易になる。
【００４０】
第３群の他の態様（４）は、上記いずれかの態様において、前記強調表示手段は、集計結果における所定のランクに応じた色彩の階調で前記強調表示を行うことを特徴とする。
【００４１】
このように、段階分けした人気度など、集計結果における所定のランクに応じた濃淡や色味など色彩の階調で強調表示を行うことにより、ユーザはコンテンツを一目見て部分ごとの人気度を直感的に把握可能となり、閲覧時の評価をユーザ間で共有するユーザインタフェースの使い勝手が改善できる。
【００４２】
なお、上記の第１群から第３群における各態様とは異なるカテゴリ（装置に対し方法、方法に対しプログラムなど）や、以下に説明するさらに具体的な各態様も本発明に含まれる。異なるカテゴリについては、「手段」を「処理」又は「ステップ」のように適宜読み替えるものとする。また、処理やステップの実行順序は以上記述したものに限定されず、適宜変更したりまとめて処理するなど、変更可能である。
【発明の効果】
【００４３】
本発明によれば、電子書籍コンテンツに含まれる文字列を引用したコメントの入力を容易にすることが可能となる。
【図面の簡単な説明】
【００４４】
【図１】本発明の実施形態の構成を示す機能ブロック図。
【図２】本発明の実施形態で用いる情報（データ）を例示する図。
【図３】本発明の実施形態において端末でコメントを表示する処理手順を示すフローチャート。
【図４】本発明の実施形態において端末で指定された領域とフレームをサーバで集計し端末に表示させる処理手順を示すフローチャート。
【図５】本発明の実施形態における画面例を示す図。
【図６】本発明の実施形態における画面例を示す図。
【図７】本発明の実施形態における画面例を示す図。
【図８】本発明の実施形態における画面例を示す図。
【図９】本発明の実施形態における画面例を示す図。
【図１０】本発明の実施形態における画面例を示す図。
【発明を実施するための形態】
【００４５】
次に、本発明を実施するための形態（「実施形態」と呼ぶ）について、図に沿って説明する。なお、背景技術や課題などで既に述べた内容と共通の前提事項については適宜省略する。
【００４６】
〔１．構成〕
本実施形態は、図１に示すように、情報表示装置１（以下「端末１」又は「端末」とも呼ぶ）と、サーバ装置２（以下「サーバ２」又は「サーバ」とも呼ぶ）と、を通信ネットワークＮ（インターネット、携帯電話網、ＬＡＮなど）で接続した情報処理システムに関するものである。このうち、端末１は、文字画像を含む画像を用いる電子書籍コンテンツ（以下、単に「コンテンツ」とも呼ぶ）を表示する電子書籍ビューアの機能を有し、ユーザの用いるパーソナル・コンピュータ（ＰＣ）、ポータブル電子情報端末装置（スマートフォン、タブレットＰＣ、携帯電話端末装置）などの情報処理装置で、図１では一つを模式的に例示するが、実際は多数存在する。
【００４７】
この端末１は、通信ネットワークＮ経由で所定のＵＲＬに対応するサーバ２にアクセスし、コンテンツをダウンロードして表示するのに用いる。また、サーバ２は、多数のユーザからのアクセス内容に応じ、有償又は無償で、コンテンツやその関連データの配信を行う装置である。
【００４８】
上記の端末１とサーバ２は、一般的なコンピュータの構成として少なくとも、ＣＰＵなどの演算制御部６と、記憶装置７（主メモリ、フラッシュメモリ、ＨＤＤ等）と、通信ネットワークＮとの通信手段８（ＬＡＮアダプタや通信ゲートウェイ装置など）と、を有する。特に端末１は、液晶表示パネルや有機ＥＬ（エレクトロ・ルミネセンス）表示パネルなどの表示装置Ｄと、タッチパネル機能やキースイッチなどの入力装置Ｍと、を有する。
【００４９】
そして、端末１及びサーバ２では、それぞれ、記憶装置７に予め記憶（インストール）した図示しない所定のコンピュータ・プログラムが演算制御部６を制御することで、図１に示す各手段などの要素（１０など）を実現する。これら各要素のうち、端末１の各手段１１，１２，１３，１４などは、端末１上で動作するコンピュータ・プログラム（電子書籍ビューア・プログラムなどであり、単に「ビューア」とも呼ぶこととする）で実現される。
【００５０】
このようなビューアは、端末１にサーバ２などから配信されたものの他、パーソナル・コンピュータのウェブブラウザ上で、ウェブページのデータに含まれるスクリプトなどとしてサーバ２などから送信されたもの、専用装置に予め組み込まれたものでもよい。但し、情報機器におけるウェブページのデータやソフトウェアは多様な構成が可能であるから、ビューアは、アプレット、中間言語、機械語など他の種類の実行モジュールのほか、いかなる実現形態でもよい。
【００５１】
また、情報の記憶手段は、記憶装置７において各種のデータベース（「ＤＢ」とも表す）やファイル、配列等の変数、各種スタックやレジスタ、システム設定値など任意の形式で実現できる。このような記憶手段のうち、サーバ２のコンテンツ記憶手段２１及び端末１のコンテンツ記憶手段１１は、ページ内でフレームに分割されたコンテンツをデータ（「コンテンツデータ」と呼ぶこととする）として記憶している手段であり、ページを分割する単位であるフレームの単位は、漫画（コミックス）のコマや吹き出し、小説の段落など、自由に定めることができる。
【００５２】
図２（１）は、コンテンツデータの一例であり、コンテンツを識別するコンテンツＩＤに対して、そのコンテンツに含まれるページのページＩＤが対応付けられ、ページＩＤには、そのページに含まれるフレームのフレームＩＤが対応付けられ、フレームＩＤごとに、そのフレームのページ上での座標値、フレームの内容をなす画像ファイル（画像ファイル自体でもよいし、画像ファイルにアクセスするＵＲＬやディレクトリパス名などのポインタ情報でもよい）が対応付けられている。
【００５３】
このようにコンテンツを記憶しているコンテンツ記憶手段２１，１１のうち、サーバ２のコンテンツ記憶手段２１は、多数の端末１に配信するために多くの種類のコンテンツを記憶している。一方、端末１のコンテンツ記憶手段１１は、端末１においてサーバ２からのダウンロードや、その他のデータコピーなどにより取得した上記のようなコンテンツを記憶する手段である。
【００５４】
また、サーバ２のコメント記憶手段２７は、コンテンツのフレームに対応付けられたコメントを記憶している手段であり、端末１のコメント記憶手段１２は、サーバ２から受信したコメントを記憶する手段である。なお、記憶手段以外の各手段は、以下のような情報処理の機能・作用を実現・実行する処理手段である。
【００５５】
〔２．コメントの表示〕
図３のフローチャートは、上記のように構成した端末１について、コンテンツとコメントを表示する動作手順を示すものである。すなわち、端末１のコンテンツ等受信手段１０が、通信ネットワークＮ経由でサーバ２のデータ送信手段４１から、コンテンツのデータ及び関連データをダウンロードする（ステップＳ１）。コンテンツ等受信手段１０は、ダウンロードしたコンテンツはコンテンツ記憶手段１１に記憶させ、また、関連データのうちコンテンツに対応するコメントはコメント記憶手段１２に記憶させる（例えば図２（２））。
【００５６】
そして、コンテンツ表示手段１３は表示装置Ｄに、コンテンツ記憶手段１１に記憶されているコンテンツを図５に例示するように画面表示し（ステップＳ２）、また、個々のフレーム（漫画のコマや吹き出しなど）について関連データの内容に応じて、コメントがあるフレームであることを示すコメントマークＭ１、読者から人気のある部分であることを示すグラフィック表示である強調カラーＥ（Ｅ１，Ｅ２など）のうち、該当するものを表示する（ステップＳ３）。
【００５７】
また、図５に例示するように、コンテンツ表示手段１３が、各フレーム（例えばフレームＦ１）を、フレームに対応するコメントの有無及びコメントの量に応じた厚みで立体的に表示するようにすれば、フレームごとのコメントの量が一見して視覚的に把握容易となり、コメント閲覧の使い勝手が改善できる。
【００５８】
また、一部又は全部のコメントの閲覧について、有料課金制とすることができる。例えば、関連データ内で有料課金のコメントのコメントデータには有料フラグを設定しておく（図２（２））などにより、コンテンツに有料課金のコメントがあると判定した場合、課金表示手段１５が、コメントの全部又は一部について所定の課金が条件となっている旨を、例えば有料コメントがあるフレームであることを示す袋とじマークＭ２（図５）などで表示する（ステップＳ３）。
【００５９】
そして、コメント表示手段１４は、表示されているコンテンツのフレームに対する所定の操作、例えば図６に例示するようにコメントマークＭ１を指Ａでタップしたり、マウスでクリックするなどの操作（「コメント捲り操作」と呼んでおく）が与えられた場合（ステップＳ４：「ＹＥＳ」）、最も単純な流れとしては（ステップＳ５〜Ｓ７は後述）、そのフレーム（例えばＦ３）の一部を捲る表示Ｈ３（フレームの全体を捲る表示でもよい）とともに、捲ったフレームＦ１の裏面又は捲ったフレームＦ１のあった下地面Ｃ３に、そのフレームに対応付けられたコメント（図６の例では「このシーン好き！特に・・・」）を表示する（ステップＳ８）。
【００６０】
また、フレームは台詞の吹き出しなどでもよく、図７の例では、台詞の吹き出しであるフレームＦ４のコメントマークＭ１を指Ａで操作した結果、そのフレームＦ４を捲る表示Ｈ４とともに、捲ったフレームＦ４のあった下地面Ｃ４に、そのフレームに対応付けられたコメント（図７の例では「このセリフについてひとこと・・・」）を表示している。
【００６１】
上記のようにコメントマークＭ１を画面表示したり（例えば図５）、操作に応じてコメントを表示（例えば図６、図７）する処理は、コメントに対応付けられたコンテンツＩＤやフレームＩＤ（図２（３））に基づいて行う。
【００６２】
有料コメントについては（ステップＳ５：「ＹＥＳ」）、同意受付手段１６が課金に対する同意の操作を受け付けた場合に（ステップＳ６：「ＹＥＳ」）、課金処理手段１７が、課金情報をサーバ２に送信するなど所定の課金処理を行うとともに（ステップＳ７）、コメント表示手段１４にコメントを表示させる（ステップＳ８）。なお、コメントマークＭ１や袋とじマークＭ２などが表示されていて操作される前の画面の状態において、コメントは全部が完全に隠れて非表示である必要は無く、例えば、一部のコメントやコメントの一部がチラッと見えているなど、任意の表示バリエーションを採用することができる。
【００６３】
以上のように、漫画のコマや吹き出しなどを単位にコンテンツが分割されたフレームに対応するコメントを、フレームを捲る表示とともに捲ったフレームの裏面や下地面に表示させることにより（例えば図６、図７）、コメントが煩雑に重なり合ったり各フレームのコンテンツを覆い隠すことがない。このため、コンテンツの表示において、コメントが増えた場合でも、コメントの分量の把握を含め、優れた視認性を維持することができる。
【００６４】
また、上記のように、コメントの閲覧を課金制とすることにより（例えば図４のステップＳ５〜Ｓ７）、雑誌の袋とじのように、内容を閲覧する需要を費用回収に確実に関連付ける効果が得られ、真に価値あるコメントの情報流通が促進できる。
【００６５】
〔３．コメントの入力〕
上記のように表示されるコメントは、コンテンツに予め付随するものでも、端末１で表示されたコンテンツに対しユーザが入力するものでもよく、ユーザによるコメントの入力は次のように行うことも考えられる（図３のステップＳ９〜Ｓ１２）。
【００６６】
〔３−１．領域の指定からコメント入力欄の表示〕
まず、コンテンツ表示手段１３により画面表示されているコンテンツのうち、任意の領域の指定を指定受付手段２３が入力装置Ｍから受け付けると（ステップＳ９：「ＹＥＳ」）、コメント挿入手段２４が、指定された領域について、ＯＣＲ技術としても用いられるような文字認識を行うことで文字列を取得し（ステップＳ１０）、取得した文字列をこのコンテンツに対するコメント入力欄に挿入してコメント入力を受け付ける（ステップＳ１１）。
【００６７】
例えば、図８に示すように、表示画面において、太い破線で示す領域Ｒ１を指定したものとする。このような指定は例えば、指Ａで領域Ｒ１の輪郭を円や楕円を描くようになぞって指定したり、領域Ｒ１の左上角と右下角のような対角を指定するなどによって行うが、具体的な指定の仕方は自由に定めてよい。このような指定を受けて、図９に例示する画面の状態では、コメント入力のためのウィンドウＷ１が表示画面上に重ねて表示され、図８で指定した領域から文字認識で取得された文字列「わしは戦う！」がコメント入力欄Ｗ２に、引用符（図の例では「>>」）付きで入力済みの状態となっており、そのまま入力を続けることができる。なお、文字認識で取得される文字列は、何文字でもよく、１文字を含む。
【００６８】
このように、書物のスキャンなどによる文字画像を含むコンテンツについて、漫画のセリフ部分などユーザの興味ある箇所について領域の指定を受け付け（例えば図８）、その領域について文字認識した文字列をコメント入力欄に挿入することにより（例えば図９）、ユーザは、画面上の文字を改めて一文字ずつ入力することなくその箇所を囲むなど指定するだけで、コンテンツに含まれる文字列を引用したコメントの入力を容易に行うことができる。
【００６９】
〔３−２．サーバによる文字認識〕
また、文字認識処理を端末ではなくサーバで行ってもよい。この場合、端末１のコメント挿入手段２４は、指定された領域を表す領域データを所定のサーバ（ここではサーバ２）に送信する。サーバ２では文字認識手段２８が領域データを受信したうえ、その領域データに基づく文字認識による文字列を端末１に返信する。端末１のコメント挿入手段２４は、このように返信された文字認識による文字列をサーバ２から受信し、受信した文字列をコンテンツに対するコメント入力欄Ｗ２に挿入する（図９）。
【００７０】
端末１からサーバ２へ送信され、指定された領域を表す領域データとしては、指定された領域を表す部分画像や座標値などが考えられ、例えばそのような部分画像からサーバ２の文字認識手段２８が文字認識により文字列を取得し、その文字列を端末１に返信する。
【００７１】
このように、指定された領域を表す部分画像や座標値などの領域データをサーバに送信し、それに基づく文字認識による文字列を受信して利用することにより、情報表示装置の処理負荷の軽減や、専用のサーバの能力やアルゴリズムを活用した認識精度の改善を図ることが可能となる。
【００７２】
〔３−３．コメントの蓄積と配信〕
上記のように文字認識などを活用して入力されたコメントは、サーバに送信して蓄積し端末に配信してユーザ間での共有を図ることができる。この場合、コメント送信手段２５は、コメント入力欄に入力されたコメントと、そのときに画面表示されているコンテンツとを対応付けて所定のサーバ（ここでは同じサーバ２とするが、異なったサーバでもよい）に送信する（ステップＳ１２）。このように端末１から送信されてくるコメントを、サーバ２ではコメント受信手段２６が受信し、コンテンツと対応付けてコメント記憶手段２７に記憶させる。
【００７３】
例えば、図２（２）は、コンテンツＩＤ、ページＩＤ並びにフレームＩＤと、認識された文字列（認識文字列）及び入力されたコメントの全体と、を対応付けたコメントデータの一例である。このように記憶してあるコメントは、データ送信手段４１が対応するコンテンツを端末１へ送信するときに、コンテンツに付加して送信する。
【００７４】
このように、入力されたコメントを電子書籍コンテンツと対応付けてサーバへ送信することにより（例えば図３のステップＳ１２）、サーバでコメントをとりまとめ、コンテンツに付加して配信するなど活用可能となる。
【００７５】
〔４．領域指定による評価〕
また、端末１では、コンテンツ記憶手段１１に記憶されているコンテンツをコンテンツ表示手段１３が画面表示している際、ユーザは所定の操作により任意の領域を指定することで、面白い、感動した等の評価を入力することができる。この場合の処理手順を図４のフローチャートに示す。
【００７６】
〔４−１．領域の指定〕
この場合、図３のステップＳ１〜Ｓ３までと同様の処理で、端末側において（図４の左側）ダウンロードしたコンテンツを図５のように表示した状態を考える（図４のステップＳ１〜Ｓ３）。ここで、強調カラーＥ（Ｅ１，Ｅ２）は、所定数以上のユーザにより評価された領域を、ネットマーケティング分野における所謂ヒートマップのように強調表示する特定の色や表示パターンなどである。例えば、図５以降では単純な例として、ユーザから重複して指定された回数などの度合いに応じて、強調カラーＥ１と、それよりさらに多い数のユーザに指定されたことを表す強調カラーＥ２と、が存在する。図５の画面例では、フレームＦ３の中心付近に強調カラーＥ１の領域があり、そのさらに中心部付近には、より濃い階調の強調カラーＥ２が表示されている。
【００７７】
そして、評価領域受付手段３３が、表示されているコンテンツのページのうち任意の領域の指定を、その領域に対する評価の入力として受け付けた場合（ステップＳ１４：「ＹＥＳ」）、最も単純な処理の部分としては、評価領域送信手段３５が、指定されたページ及び領域（以下「指定領域」とも呼ぶことする）を表すデータ（以下「評価データ」と呼ぶこととする）を通信ネットワーク経由でサーバ２へ送信する。
【００７８】
評価の入力として、気に入った部分などを指定する具体的な操作内容は自由であるが、図８で例示したのと同様に、タッチパネルを指Ａで操作し、指定領域Ｒ１の輪郭を囲むように円や楕円を描いたり、指定領域Ｒ１の左上角と右下角のような対角を指定するなどにより、領域Ｒ１を指定することが考えられる。
【００７９】
ここで、本実施形態では、指定領域がページ中のどのフレームに含まれるかを特定するが、この特定の処理を行う手段（「フレーム特定手段」と呼ぶ）は、端末１の側にあってもよいし、サーバ２の側にあってもよい。すなわち、端末１又はサーバ２の少なくとも一方が、フレーム特定手段を有すればよいが、図１に示す本実施形態では、端末１にフレーム特定手段３４があり、サーバ２にもフレーム特定手段３８があるものとする。
【００８０】
そして、端末１の構成、ビューア・プログラムのバージョン、ユーザの選択した機能設定などに応じて、どちら側でフレームの特定を行うかが決定される。すなわち、端末１側にフレーム特定手段３４があり、それでフレームの特定を行う場合は（ステップＳ１５：「ＹＥＳ」）、端末１側のフレーム特定手段３４が、指定されたページ及び領域の座標と、対応するコンテンツに含まれるそのページのフレームの座標（例えば図２（１）に示すフレームの座標値）とを比較することにより、評価に対応するフレームを特定したうえ、特定されたフレームを識別する情報（ここでは「フレームＩＤ」とするが、形式は問わない）を、評価領域送信手段３５がサーバ２へ送信する評価データに含める（ステップＳ１６）。なお、端末１でフレームを特定しない場合は（ステップＳ１５：「ＮＯ」）、評価データは、指定領域を表すが、フレームＩＤは含まないものとなる。
【００８１】
そして、上記のような評価データを端末１の評価領域送信手段３５が通信ネットワークＮを経由でサーバ２へ送信し（ステップＳ１７）、サーバ２では、評価領域受信手段３６が、端末１からコンテンツのうちにおいて指定されたページ及び領域を表す評価データを受信する（ステップＳ２２）。そして、受信した評価データに上記フレームＩＤが含まれていない場合は（ステップＳ２３：「ＮＯ」）、フレーム特定手段３８が、受信された評価データにおける指定されたページ及び領域の座標と、対応するコンテンツに含まれるそのページのフレームの座標とを比較することにより、評価に対応するフレームを特定する（ステップＳ２４）。
【００８２】
〔４−２．評価の集計と表示〕
続いて、サーバ２ではフレーム評価集計手段３９が、端末１又はサーバ２で特定されたフレームに係る評価を、フレームごとのスコアに所定の加算を行うなどにより集計し、このフレームに係る評価の集計結果を集計結果記憶手段４０に記憶させる（ステップＳ２５）。また、領域集計手段３７が、評価データに含まれる指定領域をコンテンツのページ毎に集計し、この指定領域の集計結果を集計結果記憶手段４０に記憶させる（ステップＳ２６）。
【００８３】
すなわち、集計結果記憶手段４０は、フレームに係る評価の集計結果及び指定された領域の集計結果を記憶する手段であり、このような集計結果を表すデータ（「集計結果データ」と呼ぶこととする）の一例を図２（３）に示す。この例では、コンテンツＩＤ、ページＩＤ及び判定されたフレームＩＤごとに、フレームスコアと、指定領域座標ごとの領域レベルを対応付けている。
【００８４】
このうち、フレームスコアは、指定領域がそのフレームに含まれると特定された回数であり、フレームの人気度を表す。また、指定領域座標は、指定領域の中で重複して指定された座標範囲を示す。また、領域レベルは、その座標範囲が何回指定されたかの回数（例えば１５８回、３６８回など）を表す領域のスコアの大小が、強調カラーＥ１（図５など）に対応する領域レベル１（例えばスコア１００以上）の範囲か、又は強調カラーＥ２（図５など）に対応する領域レベル２（例えばスコア３００以上）の範囲か、を表す所定のランクである。
【００８５】
フレーム単位の集計については、指定領域がそのフレームに含まれると特定された回数を集計すればよいが、指定領域が重複する座標範囲（指定領域座標）としては、例えば、各フレームの全画素にそれぞれ対応する配列変数を、その画素が指定領域に含まれた回数に応じてインクリメントしてゆき、配列変数の値が所定回数（例えば、１００以上、３００以上など）に達した画素やその範囲に領域レベル１や２を付与し、強調カラーＥ１やＥ２で表示するなどが考えられる。
【００８６】
そして、データ送信手段４１は、このように集計結果記憶手段４０に記憶されているフレームに係る評価の集計結果及び指定された領域の集計結果の少なくとも一方を該当するページに表示させるための表示データを、コンテンツ配信などに際して通信ネットワークＮ経由で端末１へ送信する（ステップＳ２１）。端末１では強調表示手段４２が、コンテンツのページのうち、評価データに基づく集計結果に基づいてサーバ２から受信した上記のような表示データに対応したフレーム及び領域の少なくとも一方を、図１０に例示するように、強調カラーＥ１１やＥ２２で強調表示する（ステップＳ１〜Ｓ３）。
【００８７】
このように、フレームに分割されているコンテンツに対して、情報表示装置などのクライアント装置において評価の入力として任意の領域の指定を受け付け（例えば図８）、サーバ側では、指定された領域の重複などの集計に加え、各領域に対応するフレーム単位でも評価を集計し、クライアント装置のコンテンツ表示画面に、集計結果を基に人気度の高いフレームや領域を所定の色や表示パターンなどで強調表示する（例えば図１０）。これにより、コンテンツに対するユーザの評価を、優れた使い勝手で、フレーム単位と共に、任意の対象範囲で受け付けて、集計し表示画面に反映することが可能となる。
【００８８】
〔４−３．強調表示の態様〕
集計結果に係る強調表示の態様は任意であるが、強調表示手段４２は、所定以上の集計結果に係るフレーム及び領域の少なくとも一方を、所定の形状、模様、色彩、視覚的動き又はこれらの結合によって、強調表示することが望ましい。特に、強調表示手段４２は、集計結果における所定のランク（例えば図２（３）の領域レベル）に応じた色彩の階調で強調表示を行うことが特に望ましい。
【００８９】
例えば、図８の例でフレームＦ１における吹き出し内の台詞付近を指定領域（Ｒ１など）として複数の読者が指定し、その集計結果に基づく強調表示が図１０のようになることが考えられる。この例では、フレームＦ１における吹き出し付近に強調カラーＥ１１の領域があり、そのさらに中心部の文字付近は、より濃い階調の強調カラーＥ２２が表示されている。
【００９０】
このように、集計結果を基に人気度の高いフレームや領域について、情報表示装置などのクライアント装置において、該当ページの画面表示でいわゆるヒートマップのように所定の色やパターンなどで強調表示することにより（例えば図１０）、多くのユーザが評価する部分に読者の注意を惹き、ユーザ間における感動の共有を促進することにより、読者の満足やコンテンツの販売促進効果を充実させることが容易になる。なお、コメント入力のための領域指定（例えば図８）によって、評価の入力も同時に受け付けることとしてもよい。
【００９１】
また、上記のように、段階分けした人気度など、集計結果における所定のランクに応じた濃淡や色味など色彩の階調で強調表示を行うことにより（例えば図１０）、ユーザはコンテンツを一目見て部分ごとの人気度を直感的に把握可能となり、閲覧時の評価をユーザ間で共有するユーザインタフェースの使い勝手が改善できる。
【００９２】
〔５．他の実施形態〕
なお、上記各実施形態は例示に過ぎず、本発明は、以下に例示するものやそれ以外の他の実施態様も含むものである。例えば、サーバ２がコンテンツの配信その他の情報送受信の相手方とする情報機器は、端末１に限らず、任意のタイプのクライアント装置でよい。また、本発明の適用対象とするコンテンツは、コミックス（漫画）に限らず、段落分けされたり挿絵や図表などが挿入された小説、絵本、教科書、各種の専門文献など任意に選択できる。なお、コンテンツがページ内でフレームに分割されている分割数は、複数には限定されず、一分割（単一のフレーム）でもよい。
【００９３】
また、本発明に関する手段などの各要素は、コンピュータの演算制御部に限らず、ワイヤードロジック等に基づく電子回路など他の情報処理機構で実現してもよい。また、各構成図、データの図、フローチャートの図などは例示に過ぎず、各要素の有無、その配置順序や各処理の実行順序、具体的内容などは適宜変更可能である。例えば、本発明のサーバ装置は、構成要素となるサーバなどの装置を複数用いて実現してもよく、個々の記憶手段を別個独立のサーバ装置やシステムで実現する構成も一般的である。また、機能によっては、外部のプラットフォーム等をＡＰＩ（アプリケーション・プログラム・インタフェース）やネットワークコンピューティング（いわゆるクラウドなど）で呼び出して実現するなど、構成は柔軟に変更できる。
【符号の説明】
【００９４】
１  情報表示装置（端末）
２  サーバ装置（サーバ）
６  演算制御部
７  記憶装置
８  通信手段
１０  コンテンツ等受信手段
１１，２１  コンテンツ記憶手段
１２  コメント記憶手段
１３  コンテンツ表示手段
１４  コメント表示手段
１５  課金表示手段
１６  同意受付手段
１７  課金処理手段
２３  指定受付手段
２４  コメント挿入手段
２５  コメント送信手段
２６  コメント受信手段
２７  コメント記憶手段
２８  文字認識手段
３３  評価領域受付手段
３４  フレーム特定手段
３５  評価領域送信手段
３６  評価領域受信手段
３７  領域集計手段
３８  フレーム特定手段
３９  フレーム評価集計手段
４０  集計結果記憶手段
４１  データ送信手段
４２  強調表示手段
Ｃ３，Ｃ４  下地面
Ｄ  表示装置
Ｅ（Ｅ１，Ｅ２，Ｅ１１，Ｅ１２）  強調カラー
Ｆ１〜Ｆ４  フレーム
Ｈ３，Ｈ４  表示
Ｍ  入力装置
Ｍ１，Ｍ２  コメントマーク
Ｎ  通信ネットワーク
Ｒ１  指定領域
Ｗ１  ウィンドウ
Ｗ２  コメント入力欄
【図１】
0005554177.tif 000002
【図２】
0005554177.tif 000003
【図３】
0005554177.tif 000004
【図４】
0005554177.tif 000005
【図５】
0005554177.tif 000006
【図６】
0005554177.tif 000007
【図７】
0005554177.tif 000008
【図８】
0005554177.tif 000009
【図９】
0005554177.tif 000010
【図１０】
0005554177.tif 000011